(57)【要約】【課題】パケット伝送時あるいはランダムアクセス時における通信を必要最小限の送信電力で実現することによって、他ユーザへの干渉を低減すること。【解決手段】受信レベル判定回路１１２は、受信信号の強度と記憶回路１１１に設定されるＡＩＣＨ受信判定しきい値よりも低い値の受信レベル判定しきい値との大小比較から前記受信信号の受信レベルを判定する。送信電力制御回路１１３は、受信レベル判定回路１１２が、受信信号の受信レベルが前記受信レベル判定しきい値を超えないと判定している間は、送信電力の段階的な増加処理を実施し、受信信号の受信レベルが前記受信レベル判定しきい値を超えると、送信電力の段階的な増加処理を行わず前回と同値の送信電力を用いた送信制御を実施する。【選択図】      図１
2004260753.tif 000002
【特許請求の範囲】
【請求項１】
相手局からの受信信号の強度が受信強度判定しきい値を超えるまでの間、送信電力を段階的に増加させる制御を行う送信電力制御装置において、前記受信信号の強度と前記受信強度判定しきい値よりも低い値の受信レベル判定しきい値との大小比較から前記受信信号の受信レベルを判定する判定手段と、前記判定手段が、前記受信信号の受信レベルが前記受信レベル判定しきい値を超えないと判定している間は、前記送信電力の段階的な増加処理を実施し、前記受信信号の受信レベルが前記受信レベル判定しきい値を超えると、前記送信電力の段階的な増加処理を行わず前回と同値の送信電力を用いた送信制御を実施する送信電力制御手段と、を具備することを特徴とする送信電力制御装置。
【請求項２】
前記送信電力の段階的な増加処理に代えて行われた同値の送信電力での送信回数を記憶する手段、を具備し、前記送信電力制御手段は、前記受信信号の受信レベルが前記受信強度判定しきい値に到達する以前において、前記送信回数が最大回数しきい値を超える場合には、前記送信電力の段階的な増加処理を再開することを特徴とする請求項１記載の送信電力制御装置。
【請求項３】
前記受信信号の受信レベルが前記受信レベル判定しきい値を超える超過回数を記憶する手段と、前記受信信号の受信レベルが前記受信強度判定しきい値を超えるとき、前記超過回数から前記最大回数しきい値を生成し設定する手段と、を具備することを特徴とする請求項２記載の送信電力制御装置。
【発明の詳細な説明】
【０００１】
【発明の属する技術分野】
本発明は、ＣＤＭＡ（符号分割多元接続：Ｃｏｄｅ  Ｄｉｖｉｓｉｏｎ  Ｍｕｌｔｉｐｌｅ  Ａｃｃｅｓｓ）通信システムにおける通信装置（移動局）が備える送信電力制御装置に関するものである。
【０００２】
【従来の技術】
従来、ＣＤＭＡ通信システムでは、パケット伝送時あるいはランダムアクセス時においてデータを送信する場合、相手局からデータ受付信号が送られてくるまで、データを複数回、送信電力を徐々に上げて送信する送信電力制御方法が用いられている（例えば特許文献１や、３ＧＰＰ標準規格（３ｒｄ  Ｇｅｎｅｒａｔｉｏｎ  Ｐａｒｔｎｅｒｓｈｉｐ  Ｐｒｏｊｅｃｔ，  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ，２００２年３月））。以下、図７、図８を参照して、ランダムアクセス時に実施されている送信電力制御方法を例に挙げてその概要を説明する。
【０００３】
図７は、従来の送信電力制御装置の構成例を示すブロック図である。図７において、基地局７１２と通信を行う移動局が備える従来の送信電力制御装置７００は、送信部７０１と、受信部７０２と、制御部７０３とを備えている。
【０００４】
送信部７０１は、ランダムアクセス時の送信データ（制御信号Ｍｅｓｓａｇｅ，問い合わせ信号Ｐｒｅａｍｂｌｅ）を制御部７０３からの指示に従い選択する送信データ選択回路７０４と、送信データ選択回路７０４から出力された送信データをランダムアクセスチャネル（ＲＡＣＨ）に割り当てられた特定の符号を用いて拡散処理を行う拡散回路７０５と、拡散回路７０５にて拡散処理されたデータに対して変調を行って無線信号を生成し制御部７０３から指示された送信電力で基地局７１２に無線送信する無線回路７０６とを備えている。
【０００５】
受信部７０２は、基地局７１２から受信した無線信号の復調を行う無線回路７０７と、無線回路７０７にて復調された信号を基地局７１２からのデータ受付チャネル（ＡＩＣＨ）に割り当てられた特定の符号で逆拡散しデータ受付信号（以下「ＡＩＣＨ信号」という）を取り出す逆拡散回路７０８と、逆拡散後のＡＩＣＨ信号に対して受信強度の測定を行い制御部７０３に出力するＡＩＣＨ受信レベル測定回路７０９とを備えている。
【０００６】
制御部７０３は、ＡＩＣＨ受信レベル測定回路７０９から出力されるＡＩＣＨ受信強度をＡＩＣＨ受信判定しきい値と比較しＡＩＣＨ信号の受信有無を判定するＡＩＣＨ受信判定回路７１０と、ＡＩＣＨ受信判定回路７１０の判定結果に基づいて送信データ及び送信電力の決定を行い、決定した送信データの選択指示を送信データ選択回路７０４に与え、決定した送信電力による送信指示を無線回路７０６に与える送信電力制御回路７１１とを備えている。
【０００７】
図８は、送信電力制御装置７００がランダムアクセス時に行う送信電力制御動作を説明する図である。図８（１）は、送信動作を示し、縦軸は送信チャネル（ＲＡＣＨ）における送信電力［ｄＢｍ］、横軸は時間である。図８（２）は、ＡＩＣＨ受信判定回路７１０がＡＩＣＨ受信判定しきい値８００でもって行う受信有無の判定動作を示し、縦軸は受信チャネル（ＡＩＣＨ）の受信信号レベル、横軸は時間である。
【０００８】
ランダムアクセス時では、送信電力制御装置７００は、まず、基地局７１２に対して問い合わせ信号Ｐｒｅａｍｂｌｅを送信する。そして、送信電力制御装置７００は、問い合わせ信号Ｐｒｅａｍｂｌｅを送信した後の一定時間内に、基地局７１２が一定の送信電力で送信するＡＩＣＨ信号の受信を確認した場合は、制御信号Ｍｅｓｓａｇｅを基地局７１２に送信して通信を確立する。
【０００９】
一方、送信電力制御装置７００は、問い合わせ信号Ｐｒｅａｍｂｌｅを送信した後の一定時間内に、基地局７１２が一定の送信電力で送信するＡＩＣＨ信号の受信を確認できない場合は、図８に示すように、送信電力を一定量だけ増加して問い合わせ信号Ｐｒｅａｍｂｌｅ信号を再送し、これによってＡＩＣＨ信号の受信が確認できた場合に制御信号Ｍｅｓｓａｇｅを基地局７１２に送信し通信を確立する。以下、図８に従って具体的に説明する。
【００１０】
図８において、送信電力制御装置７００が送信した問い合わせ信号ＰｒｅａｍｂｌｅＴｘ１に対し、基地局７１２はＡＩＣＨ信号を返送しないので、送信電力制御装置７００は、問い合わせ信号ＰｒｅａｍｂｌｅＴｘ１を送信した後の一定時間ｔ１内にＡＩＣＨ信号の受信が確認できず、一定時間ｔ１経過後に問い合わせ信号ＰｒｅａｍｂｌｅＴｘ２をその送信電力を一定量ΔＰ１だけ増加して送信する。
【００１１】
この問い合わせ信号ＰｒｅａｍｂｌｅＴｘ２に対しても基地局７１２はＡＩＣＨ信号を返送しないので、送信電力制御装置７００は、一定時間ｔ２の経過後に問い合わせ信号ＰｒｅａｍｂｌｅＴｘ３をその送信電力を一定量ΔＰ１だけ増加して送信する。
【００１２】
この問い合わせ信号ＰｒｅａｍｂｌｅＴｘ３に対しては、送信電力制御装置７００は、基地局７１２から一定時間ｔ３内にＡＩＣＨ信号Ｒｘ１を受信する。しかし、その受信レベルがＡＩＣＨ受信判定しきい値８００を超えないので、送信電力制御装置７００は、一定時間ｔ３の経過後に問い合わせ信号ＰｒｅａｍｂｌｅＴｘ４をその送信電力を一定量ΔＰ１だけ増加して送信する。
【００１３】
この問い合わせ信号ＰｒｅａｍｂｌｅＴｘ４に対しても一定時間ｔ４内にＡＩＣＨ信号Ｒｘ２の受信はあったが、その受信レベルがＡＩＣＨ受信判定しきい値８００を超えないので、送信電力制御装置７００は、一定時間ｔ４の経過後に問い合わせ信号ＰｒｅａｍｂｌｅＴｘ５をその送信電力を一定量ΔＰ１だけ増加して送信する。
【００１４】
この問い合わせ信号ＰｒｅａｍｂｌｅＴｘ５に対し一定時間ｔ５内に受信されたＡＩＣＨ信号Ｒｘ３の受信レベルはＡＩＣＨ受信判定しきい値８００を超えるので、送信電力制御装置７００は、これによってＡＩＣＨ信号の受信が確認でき、一定時間ｔ５の経過後に制御信号Ｍｅｓｓａｇｅ信号Ｔｘ６をその送信電力を一定量ΔＰ２だけ増加して送信し、通信を確立する。
【００１５】
【特許文献１】
特許第３０９０１０９号公報（０００２、図９）
【００１６】
【発明が解決しようとする課題】
しかしながら、上記のように、従来の送信電力制御装置では、基地局からのデータ受付信号の受信レベルがＡＩＣＨ判定しきい値を超えない場合は、超えるまで問い合わせ信号の再送を繰り返し行うので、問い合わせ信号が実際には基地局に受信されている場合においても送信電力を増加させる結果となっている。そのため、必要以上の送信電力で問い合わせ信号を送信してしまい、他ユーザへの干渉を増加させるという問題があった。
【００１７】
本発明は、かかる点に鑑みてなされたものであり、パケット伝送時あるいはランダムアクセス時における通信を必要最小限の送信電力で実現することによって、他ユーザへの干渉を低減することのできる送信電力制御装置を提供することを目的とする。
【００１８】
【課題を解決するための手段】
本発明の送信電力制御装置は、相手局からの受信信号の強度が受信強度判定しきい値を超えるまでの間、送信電力を段階的に増加させる制御を行う送信電力制御装置において、前記受信信号の強度と前記受信強度判定しきい値よりも低い値の受信レベル判定しきい値との大小比較から前記受信信号の受信レベルを判定する判定手段と、前記判定手段が、前記受信信号の受信レベルが前記受信レベル判定しきい値を超えないと判定している間は、前記送信電力の段階的な増加処理を実施し、前記受信信号の受信レベルが前記受信レベル判定しきい値を超えると、前記送信電力の段階的な増加処理を行わず前回と同値の送信電力を用いた送信制御を実施する送信電力制御手段と、を具備する構成を採る。
【００１９】
この構成によれば、受信信号の受信レベルが受信強度判定しきい値よりも低い値の受信レベル判定しきい値を超えない間は、従来と同様に、送信電力の段階的な増加処理を実施するが、前記受信レベル判定しきい値を超えると、前記送信電力の段階的な増加処理を行わず前回と同値の送信電力を用いた送信制御が実施される。これによって、不要な送信電力による問い合わせ信号の送信が抑制でき、他ユーザへの干渉が低減される。
【００２０】
本発明の送信電力制御装置は、上記の発明において、前記送信電力の段階的な増加処理に代えて行われた同値の送信電力での送信回数を記憶する手段、を具備し、前記送信電力制御手段は、前記受信信号の受信レベルが前記受信強度判定しきい値に到達する以前において、前記送信回数が最大回数しきい値を超える場合には、前記送信電力の段階的な増加処理を再開する構成を採る。
【００２１】
この構成によれば、送信電力を増加させずに送信する回数に上限値を定めるので、受信強度の測定を誤った場合でも、パケット伝送やランダムアクセスを支障無く実施することができる。
【００２２】
本発明の送信電力制御装置は、上記の発明において、前記受信信号の受信レベルが前記受信レベル判定しきい値を超える超過回数を記憶する手段と、前記受信信号の受信レベルが前記受信強度判定しきい値を超えるとき、前記超過回数から前記最大回数しきい値を生成し設定する手段と、を具備する構成を採る。
【００２３】
この構成によれば、送信電力を増加させずに送信する回数の上限値が、受信信号の受信レベルが受信強度判定しきい値を超える度に、つまり通信が確立する度に、受信信号の受信レベルが受信レベル判定しきい値を超える超過回数に応じて変更される。したがって、送信電力を増加させずに送信する回数の上限値を適応的に変更できるので、効率的に送信電力の制御を実施することができる。
【００２４】
【発明の実施の形態】
本発明の骨子は、パケット伝送時あるいはランダムアクセス時において、問い合わせに対する基地局からの受信信号の強度を複数のしきい値で判定し、判定結果によっては段階的な送信電力の増加処理を行わないようすることによって、基地局への送信を必要最小限の送信電力で実現し、他ユーザへの干渉を低減することである。
【００２５】
（実施の形態１）
図１は、本発明の実施の形態１に係る送信電力制御装置の構成を示すブロック図である。図１において、基地局１１５と通信を行う移動局が備える送信電力制御装置１００は、送信部１０１と、受信部１０２と、制御部１０３とを備えている。
【００２６】
送信部１０１は、ランダムアクセス時の送信データ（制御信号Ｍｅｓｓａｇｅ，問い合わせ信号Ｐｒｅａｍｂｌｅ）を制御部１０３からの指示に従い選択する送信データ選択回路１０４と、送信データ選択回路１０４から出力された送信データをランダムアクセスチャネル（ＲＡＣＨ）に割り当てられた特定の符号を用いて拡散処理を行う拡散回路１０５と、拡散回路１０５にて拡散処理されたデータに対して変調を行って無線信号を生成し制御部１０３から指示された送信電力で基地局１１５に無線送信する無線回路１０６とを備えている。
【００２７】
受信部１０２は、基地局１１５から受信した無線信号の復調を行う無線回路１０７と、無線回路１０７にて復調された信号を基地局１１５からのデータ受付チャネル（ＡＩＣＨ）に割り当てられた特定の符号で逆拡散しデータ受付信号（以下「ＡＩＣＨ信号」という）を取り出す逆拡散回路１０８と、逆拡散後のＡＩＣＨ信号に対して受信強度の測定を行い制御部１０３に出力するＡＩＣＨ受信レベル測定回路１０９とを備えている。
【００２８】
制御部１０３は、ＡＩＣＨ受信レベル測定回路１０９から出力されるＡＩＣＨ受信強度をＡＩＣＨ受信判定しきい値と比較しＡＩＣＨ信号の受信有無を判定するＡＩＣＨ受信判定回路１１０と、ＡＩＣＨ受信レベル測定回路１０９から出力されるＡＩＣＨ受信強度を記憶回路１１１に設定される受信レベルしきい値と比較しＡＩＣＨ信号の受信レベルを判定する受信レベル判定回路１１２と、ＡＩＣＨ受信判定回路１１０の判定結果と受信レベル判定回路１１２の判定結果とに基づいて送信データ及び送信電力の決定を行い、決定した送信データの選択指示を送信データ選択回路１０４に与え、決定した送信電力による送信指示を無線回路１０６に与える送信電力制御回路１１３とを備えている。なお、記憶回路１１１に設定される受信レベルしきい値は、ＡＩＣＨ受信判定回路１１０が備えるＡＩＣＨ受信判定しきい値よりも低い値となっている。
【００２９】
次に、図１、図２を参照して、以上のように構成される送信電力制御装置１００の動作を説明する。なお、図２は、送信電力制御装置１００がランダムアクセス時に行う送信電力制御動作を説明する図である。図２（１）は、送信動作を示し、縦軸は送信チャネル（ＲＡＣＨ）における送信電力［ｄＢｍ］、横軸は時間である。図２（２）は、ＡＩＣＨ受信判定回路１１０がＡＩＣＨ受信判定しきい値２０１でもって行う受信有無の判定動作、及び受信レベル判定回路１１２が記憶回路１１１に設定される受信レベル判定しきい値２０２でもって行う受信レベルの判定動作を示し、縦軸は受信チャネル（ＡＩＣＨ）の受信レベル、横軸は時間である。
【００３０】
図において、送信電力制御装置１００が送信した問い合わせ信号ＰｒｅａｍｂｌｅＴｘ１に対し、基地局１１５は一定時間ｔ１内にＡＩＣＨ信号を返送しないので、送信電力制御回路１１３は、ＡＩＣＨ受信判定回路１１０からＡＩＣＨ受信判定しきい値２０１以下の通知を受け、受信レベル判定回路１１２から受信レベル判定しきい値２０２以下の通知を受ける。これによって、送信電力制御回路１１３は、問い合わせ信号ＰｒｅａｍｂｌｅＴｘ２をその送信電力を一定量ΔＰ１だけ増加して送信すると決定する。一定時間ｔ１の経過後に問い合わせ信号ＰｒｅａｍｂｌｅＴｘ２が送信される。
【００３１】
この問い合わせ信号ＰｒｅａｍｂｌｅＴｘ２に対しても基地局１１５は一定時間ｔ２内にＡＩＣＨ信号を返送しないので、送信電力制御回路１１３は、ＡＩＣＨ受信判定回路１１０からＡＩＣＨ受信判定しきい値２０１以下の通知を受け、受信レベル判定回路１１２から受信レベル判定しきい値２０２以下の通知を受ける。これによって、送信電力制御回路１１３は、問い合わせ信号ＰｒｅａｍｂｌｅＴｘ３をその送信電力を一定量ΔＰ１だけ増加して送信すると決定する。一定時間ｔ２の経過後に問い合わせ信号ＰｒｅａｍｂｌｅＴｘ３が送信される。
【００３２】
この問い合わせ信号ＰｒｅａｍｂｌｅＴｘ３に対しては、送信電力制御装置１００は、基地局１１５から一定時間ｔ３内にＡＩＣＨ信号Ｒｘ１を受信する。その受信レベルは、ＡＩＣＨ受信判定しきい値２０１を超えないが、受信レベル判定しきい値２０２を超えている。すなわち、送信電力制御回路１１３は、ＡＩＣＨ受信判定回路１１０からＡＩＣＨ受信判定しきい値２０１以下の通知を受け、受信レベル判定回路１１２から受信レベル判定しきい値２０２以上の通知を受ける。これによって、送信電力制御回路１１３は、問い合わせ信号ＰｒｅａｍｂｌｅＴｘ４をその送信電力を一定量ΔＰ１増加させず、つまり問い合わせ信号ＰｒｅａｍｂｌｅＴｘ３と同じ送信電力で送信すると決定する。一定時間ｔ３の経過後に問い合わせ信号ＰｒｅａｍｂｌｅＴｘ４が送信される。
【００３３】
この問い合わせ信号ＰｒｅａｍｂｌｅＴｘ４に対しても一定時間ｔ４内にＡＩＣＨ信号Ｒｘ２の受信はあったが、その受信レベルは前回と同様にＡＩＣＨ受信判定しきい値２０１以下で受信レベル判定しきい値２０２以上である。そこで、送信電力制御回路１１３は、前回と同様に、問い合わせ信号ＰｒｅａｍｂｌｅＴｘ５をその送信電力を一定量ΔＰ１増加させず、つまり問い合わせ信号ＰｒｅａｍｂｌｅＴｘ３と同じ送信電力で送信すると決定する。一定時間ｔ４の経過後に問い合わせ信号ＰｒｅａｍｂｌｅＴｘ５が送信される。
【００３４】
この問い合わせ信号ＰｒｅａｍｂｌｅＴｘ５に対し一定時間ｔ５内に受信されたＡＩＣＨ信号Ｒｘ３の受信レベルはＡＩＣＨ受信判定しきい値２０１を超えるので、送信電力制御回路１１３は、ＡＩＣＨ受信判定回路１１０からＡＩＣＨ受信判定しきい値２０１以上の通知を受け、受信レベル判定回路１１２から受信レベル判定しきい値２０２以上の通知を受け、制御信号Ｍｅｓｓａｇｅ信号Ｔｘ６をその送信電力を一定量ΔＰ２だけ増加して送信すると決定する。一定時間ｔ５の経過後に制御信号Ｍｅｓｓａｇｅ信号Ｔｘ６が送信され、通信が確立する。
【００３５】
斯くして、実施の形態１に係る送信電力制御装置１００では、従来の送信電力制御装置７００での送信処理と比較して、Ｐｄだけ低い送信電力で通信を確立することができるようになる。
【００３６】
このように、実施の形態１によれば、ＡＩＣＨ信号の受信レベルがＡＩＣＨ受信判定しきい値を超えないが、新たに定めた受信レベルしきい値を超える場合には、送信電力を増加させないようにしたので、送信電力の不要な増加が抑制でき、他ユーザへの干渉を低減させることができる。
【００３７】
（実施の形態２）
図３は、本発明の実施の形態２係る送信電力制御装置の構成を示すブロック図である。なお、図３では、図１に示した構成と同一ないしは同等である構成要素には、同一の符号が付されている。ここでは、この実施の形態２に関わる部分を中心に説明する。
【００３８】
図３に示すように、実施の形態２に係る送信電力制御装置３００では、図１に示した構成において、制御部１０３に代えて制御部３０１が設けられている。制御部３０１では、カウンタ３０２と記憶回路３０３とが追加され、それに伴い送信電力制御回路１１３に代えて送信電力制御回路３０４が設けられている。
【００３９】
カウンタ３０２は、送信電力を増加させずに問い合わせ信号Ｐｒｅａｍｂｌｅの再送を行った回数をカウントし、そのカウント値を送信電力制御回路３０４に出力する。送信電力制御回路３０４に接続される記憶回路３０３には、送信電力を増加させずに問い合わせ信号Ｐｒｅａｍｂｌｅの再送を行う最大回数しきい値が設定されている。
【００４０】
送信電力制御回路３０４は、実施の形態１と同様に、ＡＩＣＨ受信判定回路１１０と受信レベル判定回路１１２とから入力される判定結果によっては問い合わせ信号Ｐｒｅａｍｂｌｅの送信電力を段階的に増加する処理を行わない決定を行う。
【００４１】
この実施の形態２では、送信電力制御回路３０４は、上記の決定を行う際に、カウンタ３０２のカウント値と記憶回路３０３に設定される最大回数しきい値とを比較し、送信電力を増加させないとの決定を行うとカウンタ３０２のカウント値が記憶回路３０３に設定される最大回数しきい値を超えることになる場合には、原則通り送信電力を段階的に増加する処理を行う決定をするようになっている。
【００４２】
次に、図３、図４を参照して、以上のように構成される送信電力制御部３００の動作を説明する。なお、図４は、送信電力制御装置３００がランダムアクセス時に行う送信電力制御動作を説明する図である。図４では、図２において、カウンタ３０２の動作が追加されている（図４（３））。縦軸はカウンタ３０２のカウント値、横軸は時間であり、記憶回路３０３に設定される最大回数しきい値４０１が示されている。
【００４３】
図において、送信電力制御装置３００が送信した問い合わせ信号ＰｒｅａｍｂｌｅＴｘ１に対し、基地局１１５は一定時間ｔ１内にＡＩＣＨ信号を返送しないので、送信電力制御回路３０４は、ＡＩＣＨ受信判定回路１１０からＡＩＣＨ受信判定しきい値２０１以下の通知を受け、受信レベル判定回路１１２から受信レベル判定しきい値２０２以下の通知を受ける。
【００４４】
これによって、送信電力制御回路３０４は、問い合わせ信号ＰｒｅａｍｂｌｅＴｘ２をその送信電力を一定量ΔＰ１だけ増加して送信すると決定する。一定時間ｔ１の経過後に問い合わせ信号ＰｒｅａｍｂｌｅＴｘ２が送信される。カウンタ３０２のカウント値はゼロである。
【００４５】
この問い合わせ信号ＰｒｅａｍｂｌｅＴｘ２に対し、送信電力制御装置３００は、基地局１１５から一定時間ｔ２内にＡＩＣＨ信号Ｒｘ１を受信する。その受信レベルは、ＡＩＣＨ受信判定しきい値２０１を超えず、受信レベル判定しきい値２０２も超えていない。送信電力制御回路３０４は、ＡＩＣＨ受信判定回路１１０からＡＩＣＨ受信判定しきい値２０１以下の通知を受け、受信レベル判定回路１１２から受信レベル判定しきい値２０２以下の通知を受ける。
【００４６】
これによって、送信電力制御回路３０４は、問い合わせ信号ＰｒｅａｍｂｌｅＴｘ３をその送信電力を一定量ΔＰ１増加させて送信すると決定する。一定時間ｔ２の経過後に問い合わせ信号ＰｒｅａｍｂｌｅＴｘ３が送信される。カウンタ３０２のカウント値はゼロである。
【００４７】
この問い合わせ信号ＰｒｅａｍｂｌｅＴｘ３に対し、送信電力制御装置３００は、基地局１１５から一定時間ｔ３内にＡＩＣＨ信号Ｒｘ２を受信する。その受信レベルは、ＡＩＣＨ受信判定しきい値２０１を超えないが、受信レベル判定しきい値２０２を超えている。すなわち、送信電力制御回路３０４は、ＡＩＣＨ受信判定回路１１０からＡＩＣＨ受信判定しきい値２０１以下の通知を受け、受信レベル判定回路１１２から受信レベル判定しきい値２０２以上の通知を受ける。
【００４８】
これによって、送信電力制御回路３０４は、問い合わせ信号ＰｒｅａｍｂｌｅＴｘ４をその送信電力を一定量ΔＰ１増加させず、つまり問い合わせ信号ＰｒｅａｍｂｌｅＴｘ３と同じ送信電力で送信すると決定する。一定時間ｔ３の経過後に問い合わせ信号ＰｒｅａｍｂｌｅＴｘ４が送信される。これによって、カウンタ３０２が１つカウントアップする。
【００４９】
この問い合わせ信号ＰｒｅａｍｂｌｅＴｘ４に対し、送信電力制御装置３００は、基地局１１５から一定時間ｔ４内にＡＩＣＨ信号Ｒｘ３を受信する。その受信レベルは、ＡＩＣＨ受信判定しきい値２０１を超えないが、受信レベル判定しきい値２０２を超えている。すなわち、送信電力制御回路３０４は、ＡＩＣＨ受信判定回路１１０からＡＩＣＨ受信判定しきい値２０１以下の通知を受け、受信レベル判定回路１１２から受信レベル判定しきい値２０２以上の通知を受ける。
【００５０】
これによって、送信電力制御回路３０４は、問い合わせ信号ＰｒｅａｍｂｌｅＴｘ４をその送信電力を一定量ΔＰ１増加させず、つまり問い合わせ信号ＰｒｅａｍｂｌｅＴｘ３と同じ送信電力で送信すると決定する。一定時間ｔ４の経過後に問い合わせ信号ＰｒｅａｍｂｌｅＴｘ５が送信される。これによって、カウンタ３０２がさらに１つカウントアップする。
【００５１】
この問い合わせ信号ＰｒｅａｍｂｌｅＴｘ５に対し、送信電力制御装置３００は、基地局１１５から一定時間ｔ５内にＡＩＣＨ信号Ｒｘ４を受信する。その受信レベルは、ＡＩＣＨ受信判定しきい値２０１を超えないが、受信レベル判定しきい値２０２を超えている。送信電力制御回路３０４は、ＡＩＣＨ受信判定回路１１０からＡＩＣＨ受信判定しきい値２０１以下の通知を受け、受信レベル判定回路１１２から受信レベル判定しきい値２０２以上の通知を受ける。
【００５２】
しかし、カウンタ３０２のカウント値は、最大回数しきい値４０１と一致している。つまり、送信電力を増加させない決定を行うとカウンタ３０２のカウント値が最大回数しきい値４０１を超えてしまう。そこで、送信電力制御回路３０４は、問い合わせ信号ＰｒｅａｍｂｌｅＴｘ６をその送信電力を一定量ΔＰ１増加させて送信すると決定する。このとき、送信電力制御回路３０４は、カウンタ３０２のカウント値をゼロに初期化する。一定時間ｔ５の経過後に問い合わせ信号ＰｒｅａｍｂｌｅＴｘ６が送信される。
【００５３】
この問い合わせ信号ＰｒｅａｍｂｌｅＴｘ６に対し、送信電力制御装置３００は、基地局１１５から一定時間ｔ６内にＡＩＣＨ信号Ｒｘ５を受信する。その受信レベルは、ＡＩＣＨ受信判定しきい値２０１を超えないが、受信レベル判定しきい値２０２を超えている。送信電力制御回路３０４は、ＡＩＣＨ受信判定回路１１０からＡＩＣＨ受信判定しきい値２０１以下の通知を受け、受信レベル判定回路１１２から受信レベル判定しきい値２０２以上の通知を受ける。
【００５４】
これによって、送信電力制御回路３０４は、問い合わせ信号ＰｒｅａｍｂｌｅＴｘ７をその送信電力を一定量ΔＰ１増加させず、つまり問い合わせ信号ＰｒｅａｍｂｌｅＴｘ６と同じ送信電力で送信すると決定する。一定時間ｔ７の経過後に問い合わせ信号ＰｒｅａｍｂｌｅＴｘ７が送信される。これによって、カウンタ３０２がさらに１つカウントアップする。
【００５５】
この問い合わせ信号ＰｒｅａｍｂｌｅＴｘ７に対し、送信電力制御装置３００は、基地局１１５から一定時間ｔ７内にＡＩＣＨ信号Ｒｘ６を受信する。その受信レベルは、ＡＩＣＨ受信判定しきい値２０１を超えず、受信レベル判定しきい値２０２も超えていない。この場合は、送信電力制御回路３０４は、ＡＩＣＨ受信判定回路１１０からＡＩＣＨ受信判定しきい値２０１以下の通知を受け、受信レベル判定回路１１２から受信レベル判定しきい値２０２以下の通知を受ける。
【００５６】
これによって、送信電力制御回路３０４は、問い合わせ信号ＰｒｅａｍｂｌｅＴｘ８をその送信電力を一定量ΔＰ１増加させて送信すると決定する。このとき、送信電力制御回路３０４は、カウンタ３０２のカウント値をゼロに初期化する。一定時間ｔ７の経過後に問い合わせ信号ＰｒｅａｍｂｌｅＴｘ８が送信される。
【００５７】
このように、実施の形態２によれば、実施の形態１と同様に、ランダムアクセス時の送信電力が抑制できるので、他ユーザへの干渉を低減させることができる。それに加えて、送信電力を増加させないで送信される問い合わせ信号Ｐｒｅａｍｂｌｅの送信回数を制限するようにしたので、ＡＩＣＨ信号の受信強度測定を誤った場合においても、ランダムアクセスを実施することができる。
【００５８】
（実施の形態３）
図５は、本発明の実施の形態３係る送信電力制御装置の構成を示すブロック図である。なお、図５では、図３に示した構成と同一ないしは同等である構成要素には、同一の符号が付されている。ここでは、この実施の形態３に関わる部分を中心に説明する。
【００５９】
図５に示すように、実施の形態３に係る送信電力制御装置５００では、図３に示した構成において、制御部３０１に代えて制御部５０１が設けられている。制御部５０１では、カウンタ５０２と最大回数しきい値制御回路５０３とが追加され、それに伴い送信電力制御回路３０４に代えて送信電力制御回路５０４が設けられている。
【００６０】
カウンタ５０２は、受信レベル判定回路１１２がＡＩＣＨ信号の受信レベルが受信レベルしきい値を超えたと判定した回数をカウントし、そのカウント値を最大回数しきい値制御回路５０３に出力する。
【００６１】
最大回数しきい値制御回路５０３は、ＡＩＣＨ受信判定回路１１０の判定結果が受信有りのときに、例えばカウンタ５０２のカウント値をそのまま最大回数しきい値として記憶回路３０３に設定することを行う。
【００６２】
送信電力制御回路５０４は、実施の形態１と同様に、ＡＩＣＨ受信判定回路１１０と受信レベル判定回路１１２とから入力される判定結果によっては問い合わせ信号Ｐｒｅａｍｂｌｅの送信電力を段階的に増加する処理を行わない決定を行う。
【００６３】
また、送信電力制御回路５０４は、実施の形態２と同様に、上記の決定を行う際に、カウンタ５０２のカウント値と記憶回路３０３に設定される最大回数しきい値とを比較し、送信電力を増加させないとの決定を行うとカウンタ５０２のカウント値が記憶回路３０３に設定される最大回数しきい値を超えることになる場合には、原則通り送信電力を段階的に増加する処理を行う決定をする。
【００６４】
この実施の形態３では、送信電力制御回路５０４は、最大回数しきい値制御回路５０３によって可変操作される最大回数しきい値とカウンタ５０２のカウント値との比較を行い、送信電力を増加させない問い合わせ信号Ｐｒｅａｍｂｌｅの送信回数を適応的に変化させる制御を行うようになっている。
【００６５】
次に、図５、図６を参照して、以上のように構成される送信電力制御部５００の動作を説明する。なお、図６は、送信電力制御装置５００がランダムアクセス時に行う送信電力制御動作を説明する図である。図６では、図４において、カウンタ３０２の動作では、最大回数しきい値４０１に代えて最大回数しきい値６０１，６０２が示されている（図６（３））。また、カウンタ５０２の動作が追加されている（図６（４））。縦軸はカウンタ５０２のカウント値、横軸は時間である。
【００６６】
図において、送信電力制御装置５００が送信した問い合わせ信号ＰｒｅａｍｂｌｅＴｘ１に対し、送信電力制御装置５００は、基地局１１５から一定時間ｔ１内にＡＩＣＨ信号Ｒｘ１を受信する。その受信レベルは、ＡＩＣＨ受信判定しきい値２０１を超えないが、受信レベル判定しきい値２０２を超えている。これによって、カウンタ５０２が１つカウントアップする。最大回数しきい値制御回路５０３は、受信レベルがＡＩＣＨ受信判定しきい値２０１を超えないので、動作をしない。
【００６７】
また、送信電力制御回路５０４は、ＡＩＣＨ受信判定回路１１０からＡＩＣＨ受信判定しきい値２０１以下の通知を受け、受信レベル判定回路１１２から受信レベル判定しきい値２０２以上の通知を受ける。
【００６８】
これによって、送信電力制御回路５０４は、問い合わせ信号ＰｒｅａｍｂｌｅＴｘ２をその送信電力を一定量ΔＰ１増加させず、つまり問い合わせ信号ＰｒｅａｍｂｌｅＴｘ１と同じ送信電力で送信すると決定する。一定時間ｔ１の経過後に問い合わせ信号ＰｒｅａｍｂｌｅＴｘ２が送信される。これによって、カウンタ３０２が１つカウントアップする。
【００６９】
この問い合わせ信号ＰｒｅａｍｂｌｅＴｘ２に対し、送信電力制御装置５００は、基地局１１５から一定時間ｔ２内にＡＩＣＨ信号Ｒｘ２を受信する。その受信レベルは、ＡＩＣＨ受信判定しきい値２０１を超えないが、受信レベル判定しきい値２０２を超えている。これによって、カウンタ５０２が１つカウントアップする。最大回数しきい値制御回路５０３は、受信レベルがＡＩＣＨ受信判定しきい値２０１を超えないので、動作をしない。
【００７０】
また、送信電力制御回路５０４は、ＡＩＣＨ受信判定回路１１０からＡＩＣＨ受信判定しきい値２０１以下の通知を受け、受信レベル判定回路１１２から受信レベル判定しきい値２０２以上の通知を受ける。
【００７１】
これによって、送信電力制御回路５０４は、問い合わせ信号ＰｒｅａｍｂｌｅＴｘ３をその送信電力を一定量ΔＰ１増加させず、つまり問い合わせ信号ＰｒｅａｍｂｌｅＴｘ１と同じ送信電力で送信すると決定する。一定時間ｔ２の経過後に問い合わせ信号ＰｒｅａｍｂｌｅＴｘ３が送信される。これによって、カウンタ３０２が１つカウントアップする。このときの最大回数しきい値６０１は、カウンタ３０２のカウント値よりも大きな値になっている。
【００７２】
この問い合わせ信号ＰｒｅａｍｂｌｅＴｘ３に対し、送信電力制御装置５００は、基地局１１５から一定時間ｔ３内にＡＩＣＨ信号Ｒｘ３を受信する。その受信レベルは、受信レベル判定しきい値２０２を超え、さらにＡＩＣＨ受信判定しきい値２０１を超えている。これによって、最大回数しきい値制御回路５０３は、カウンタ５０２のカウント値を記憶回路３０３に設定し、カウンタ５０２のカウント値をゼロに初期化する。すなわち、最大回数しきい値６０１がそれよりも低い値の最大回数しきい値６０２に変更される。
【００７３】
また、送信電力制御回路５０４は、ＡＩＣＨ受信判定回路１１０からＡＩＣＨ受信判定しきい値２０１以上の通知を受け、受信レベル判定回路１１２から受信レベル判定しきい値２０２以上の通知を受ける。
【００７４】
これによって、送信電力制御回路５０４は、制御信号ＭｅｓｓａｇｅＴｘ４をその送信電力を一定量ΔＰ２増加させて送信すると決定する。一定時間ｔ３の経過後に制御信号ＭｅｓｓａｇｅＴｘ４が送信され、通信が確立する。これによって、カウンタ３０２はそのカウント値がゼロに初期化される。
【００７５】
次いで、再度の通信確立を行うために送信電力制御装置５００が送信した問い合わせ信号ＰｒｅａｍｂｌｅＴｘ５に対し、送信電力制御装置５００は、基地局１１５から一定時間ｔ４内にＡＩＣＨ信号Ｒｘ４を受信する。その受信レベルは、ＡＩＣＨ受信判定しきい値２０１を超えないが、受信レベル判定しきい値２０２を超えている。これによって、カウンタ５０２が１つカウントアップする。最大回数しきい値制御回路５０３は、受信レベルがＡＩＣＨ受信判定しきい値２０１を超えないので、動作をしない。
【００７６】
また、送信電力制御回路５０４は、ＡＩＣＨ受信判定回路１１０からＡＩＣＨ受信判定しきい値２０１以下の通知を受け、受信レベル判定回路１１２から受信レベル判定しきい値２０２以上の通知を受ける。
【００７７】
これによって、送信電力制御回路５０４は、問い合わせ信号ＰｒｅａｍｂｌｅＴｘ６をその送信電力を一定量ΔＰ１増加させず、つまり問い合わせ信号ＰｒｅａｍｂｌｅＴｘ５と同じ送信電力で送信すると決定する。一定時間ｔ４の経過後に問い合わせ信号ＰｒｅａｍｂｌｅＴｘ６が送信される。これによって、カウンタ３０２が１つカウントアップする。
【００７８】
この問い合わせ信号ＰｒｅａｍｂｌｅＴｘ６に対し、送信電力制御装置５００は、基地局１１５から一定時間ｔ５内にＡＩＣＨ信号Ｒｘ５を受信する。その受信レベルは、ＡＩＣＨ受信判定しきい値２０１を超えないが、受信レベル判定しきい値２０２を超えている。これによって、カウンタ５０２が１つカウントアップする。最大回数しきい値制御回路５０３は、ＡＩＣＨ受信判定しきい値２０１を超えないので、動作をしない。
【００７９】
また、送信電力制御回路５０４は、ＡＩＣＨ受信判定回路１１０からＡＩＣＨ受信判定しきい値２０１以下の通知を受け、受信レベル判定回路１１２から受信レベル判定しきい値２０２以上の通知を受ける。
【００８０】
これによって、送信電力制御回路５０４は、問い合わせ信号ＰｒｅａｍｂｌｅＴｘ７をその送信電力を一定量ΔＰ１増加させず、つまり問い合わせ信号ＰｒｅａｍｂｌｅＴｘ５と同じ送信電力で送信すると決定する。一定時間ｔ５の経過後に問い合わせ信号ＰｒｅａｍｂｌｅＴｘ７が送信される。これによって、カウンタ３０２が１つカウントアップする。カウンタ３０２のカウント値は、最大回数しきい値６０２と同じ値になっている。
【００８１】
この問い合わせ信号ＰｒｅａｍｂｌｅＴｘ７に対し、送信電力制御装置５００は、基地局１１５から一定時間ｔ３内にＡＩＣＨ信号Ｒｘ６を受信する。その受信レベルは、ＡＩＣＨ受信判定しきい値２０１を超えないが、受信レベル判定しきい値２０２を超えている。これによって、カウンタ５０２が１つカウントアップする。最大回数しきい値制御回路５０３は、受信レベルがＡＩＣＨ受信判定しきい値２０１を超えないので、動作をしない。
【００８２】
また、送信電力制御回路５０４は、ＡＩＣＨ受信判定回路１１０からＡＩＣＨ受信判定しきい値２０１以下の通知を受け、受信レベル判定回路１１２から受信レベル判定しきい値２０２以上の通知を受ける。しかし、このときのカウンタ３０２のカウント値は、最大回数しきい値６０２と同じ値になっている。
【００８３】
そこで、送信電力制御回路５０４は、実施の形態２にて説明したように、今度は原則に従い、問い合わせ信号ＰｒｅａｍｂｌｅＴｘ８をその送信電力を一定量ΔＰ１増加させて送信すると決定する。一定時間ｔ６の経過後に問い合わせ信号ＰｒｅａｍｂｌｅＴｘ８が送信される。これによって、カウンタ３０２はそのカウント値がゼロに初期化される。
【００８４】
この問い合わせ信号ＰｒｅａｍｂｌｅＴｘ８に対し、基地局１１５送信電力制御装置５００は、基地局１１５から一定時間ｔ７内にＡＩＣＨ信号Ｒｘ７を受信する。その受信レベルは、受信レベル判定しきい値２０２を超え、さらにＡＩＣＨ受信判定しきい値２０１を超えている。これによって、最大回数しきい値制御回路５０３は、カウンタ５０２のカウント値を記憶回路３０３に設定し、カウンタ５０２のカウント値をゼロに初期化する。すなわち、最大回数しきい値６０２がそれよりも高い値の最大回数しきい値６０１に変更される。
【００８５】
また、送信電力制御回路５０４は、ＡＩＣＨ受信判定回路１１０からＡＩＣＨ受信判定しきい値２０１以上の通知を受け、受信レベル判定回路１１２から受信レベル判定しきい値２０２以上の通知を受ける。
【００８６】
これによって、送信電力制御回路５０４は、制御信号ＭｅｓｓａｇｅＴｘ９をその送信電力を一定量ΔＰ２増加させて送信すると決定する。一定時間ｔ７の経過後に制御信号ＭｅｓｓａｇｅＴｘ９が送信され、通信が確立する。
【００８７】
なお、最大回数しきい値制御回路５０３は、カウンタ５０２の値を最大回数しきい値として記憶回路３０３に設定するとしたが、その他、例えばカウンタ５０２の値をＩＩＲフィルタや区間平均処理によって平均化し、それを最大回数しきい値として記憶回路３０３に設定するようにしてもよい。
【００８８】
このように、実施の形態３に係る送信電力制御回路５００では、通信の確立が行われる度に、送信電力を増加させずに送信する問い合わせ信号の最大送信回数を過去の送信結果に基づき変化させることができる。
【００８９】
したがって、実施の形態３によれば、実施の形態１、２と同様の作用効果が得られるのに加えて、送信電力を増加させない問い合わせ信号の送信回数の最大値を適応的に変化させることができるので、効率的に送信電力の制御を行うことができる。
【００９０】
【発明の効果】
以上説明したように、本発明によれば、不必要な送信電力による問い合わせ信号の送信を抑制するようにしたので、パケット伝送時あるいはランダムアクセス時における通信を必要最小限の送信電力で実現することができ、他ユーザへの干渉を低減することができる。
【図面の簡単な説明】
【図１】本発明の実施の形態１に係る送信電力制御装置の構成を示すブロック図
【図２】図１に示す送信電力制御装置の動作を説明する図
【図３】本発明の実施の形態２に係る送信電力制御装置の構成を示すブロック図
【図４】図３に示す送信電力制御装置の動作を説明する図
【図５】本発明の実施の形態３に係る送信電力制御装置の構成を示すブロック図
【図６】図５に示す送信電力制御装置の動作を説明する図
【図７】従来の送信電力制御装置の構成を示すブロック図
【図８】図７に示す送信電力制御装置の動作を説明する図
【符号の説明】
１００，３００，５００  送信電力制御装置
１０１  送信部
１０２  受信部
１０３，３０１，５０１  制御部
１０４  送信データ選択回路
１０５  拡散回路
１０６，１０７  無線回路
１０８  逆拡散回路
１０９  ＡＩＣＨ受信レベル測定回路
１１０  ＡＩＣＨ受信判定回路
１１１，３０３  記憶回路
１１２  受信レベル判定回路
１１３，３０４，５０４  送信電力制御回路
【図１】
2004260753.tif 000003
【図２】
2004260753.tif 000004
【図３】
2004260753.tif 000005
【図４】
2004260753.tif 000006
【図５】
2004260753.tif 000007
【図６】
2004260753.tif 000008
【図７】
2004260753.tif 000009
【図８】
2004260753.tif 000010